(57)【要約】【課題】安全かつ容易に支柱に取付けることができる照明器具及びこの照明器具の一部として使用することができる取付バンドを提供する。【解決手段】照明器具１は、主に、灯体１０、支柱Ｐに巻き付け可能な取付バンド２０、灯体１０と取付バンド２０を固定するボルト３０から構成されている。灯体１０は、下方が開口した灯体本体部１０ａと、灯体本体部１０ａの後部下側に位置した被取付部１０ｂとを備えており、被取付部１０ｂは、外形部１０ｄと、下側から上側に向けて形成された鍵状の切欠部１０ｅとを備えている。【選択図】図２
2005183149.tif 000002
【特許請求の範囲】
【請求項１】
光源が配設される灯体本体部及び被取付部を備えた灯体と；
バンド本体、及びバンド本体の一部を成形することにより構成され、前記被取付部を位置決め及び支持する取付部を備えた取付バンドと；
前記被取付部と前記取付部とを固定する固定部材と；
を具備することを特徴とする照明器具。
【請求項２】
前記バンド本体は、支柱に巻付く固着部、及び前記固着部に連接して形成された一対の側面を有する断面コ字状のコ字部と側面間に掛け渡された係合部材とを有する取付部を含んで構成され、前記灯体の被取付部は、前記一対の側面の内面に沿った側面を有する外形部及び前記係合部材に係合する切欠部を含んで構成されていることを特徴とする請求項１記載の照明器具。
【請求項３】
前記固定部材は複数存在し、前記被取付部と前記取付部は前記固定部材により同一方向から固定されていることを特徴とする請求項１又は２記載の照明器具。
【請求項４】
前記バンド本体は、支柱に巻き付く固着部、及び前記固着部に連接して形成された一対の側面を有する断面コ字状のコ字部と側面間に配置された当接部材とを有する取付部を含んで構成され、前記灯体の被取付部は、前記一対の側面の内面に沿うとともに前記当接部材に当接した側面を有する外形部を含んで構成されていることを特徴とする請求項１乃至３のいずれか１項に記載の照明器具。
【請求項５】
前記バンド本体は、支柱に巻き付く固着部、及び前記固着部に連接して形成された一対の側面を有する断面コ字状のコ字部を含んで構成され、前記灯体の被取付部は、第１の面と前記第１の面に対して傾いた第２の面とを含んで構成された前面、及び前記一対の側面の内面に沿った側面を有する外形部を含んで構成されていることを特徴とする請求項１乃至４のいずれか１項に記載の照明器具。
【請求項６】
前記灯体本体部と前記被取付部は、前記被取付部に対する前記灯体本体部の上下方向の角度が変えられるようにねじで固定されていることを特徴とする請求項１乃至５のいずれか１項に記載の照明器具。
【請求項７】
一端部、中間部、及び他端部を有するバンド本体と；
前記バンド本体の中間部を成形することにより構成され、被取付部を備えた灯体の前記被取付部を位置決め及び支持する取付部と；
前記一端部と他端部を共に固定するバンド固定部材と；
を具備することを特徴とする取付バンド。
【発明の詳細な説明】
【技術分野】
【０００１】
本発明は、照明器具及びこの照明器具に使用される取付けバンドに関する。
【背景技術】
【０００２】
従来から道路の電柱等には、歩行者の安全を確保するための防犯灯としての照明器具が取付けられている。現在、支柱等への照明器具の取付けには、支柱等に巻き付け可能な取付バンドと、灯体と取付バンドとを繋ぐ補助金具が用いられている。
【０００３】
例えば、灯体が補助金具を備えている場合においては、補助金具に取付バンドを挿通し、灯体に取付バンドを取付けた状態で取付バンドを支柱等に取付ける。また、補助金具が灯体及び取付バンドと別体である場合においては、まず補助金具に取付バンドを挿通し、補助金具に取付バンドを取付けた状態で取付バンドを支柱等に取付ける。その後、補助金具の係合受け部に灯体の係合部を係合させるとともに補助金具の両側面２箇所ずつ合計４箇所ねじ止めする（例えば、特許文献１参照。）。
【特許文献１】特開平８−４５３３０号公報
【発明の開示】
【発明が解決しようとする課題】
【０００４】
ところで、照明器具は高所に取付けられるために安全かつ容易に支柱等に取付けられることが必要とされる。しかしながら、灯体が補助金具を備えている場合には、灯体の重みにより取付バンドの取付けに多大な労力を要するという問題がある。また、補助金具が灯体及び取付バンドと別体である場合には、部品数が増えるため、取付けに多大な時間を要するという問題がある。
【０００５】
本発明は、上記問題を解決するためになされたものである。即ち、安全かつ容易に支柱に取付けることができる照明器具及びこの照明器具の一部として使用することができる取付バンドを提供することを目的とする。
【課題を解決するための手段】
【０００６】
請求項１記載の照明器具は、光源が配設される灯体本体部及び被取付部を備えた灯体と；バンド本体、及びバンド本体の一部を成形することにより構成され、前記被取付部を位置決め及び支持する取付部を備えた取付バンドと；前記被取付部と前記取付部とを固定する固定部材と；を具備することを特徴としている。
【０００７】
請求項２記載の照明器具は、請求項１記載の照明器具であって、前記バンド本体が、支柱に巻付く固着部、及び前記固着部に連接して形成された一対の側面を有する断面コ字状のコ字部と側面間に掛け渡された係合部材とを有する取付部を含んで構成され、前記灯体の被取付部は、前記一対の側面の内面に沿った側面を有する外形部及び前記係合部材に係合する切欠部を含んで構成されていることを特徴としている。
【０００８】
請求項３記載の照明器具は、請求項１又は２記載の照明器具であって、前記固定部材が複数存在し、前記被取付部と前記取付部が前記固定部材により同一方向から固定されていることを特徴としている。
【０００９】
請求項４記載の照明器具は、請求項１乃至３のいずれか１項に記載の照明器具であって、前記バンド本体が、支柱に巻き付く固着部、及び前記固着部に連接して形成された一対の側面を有する断面コ字状のコ字部と側面間に配置された当接部材とを有する取付部を含んで構成され、前記灯体の被取付部は、前記一対の側面の内面に沿うとともに前記当接部材に当接した側面を有する外形部を含んで構成されていることを特徴としている。
【００１０】
請求項５記載の照明器具は、請求項１乃至４のいずれか１項に記載の照明器具であって、前記バンド本体が、支柱に巻き付く固着部、及び前記固着部に連接して形成された一対の側面を有する断面コ字状のコ字部を含んで構成され、前記灯体の被取付部は、第１の面と前記第１の面に対して傾いた第２の面とを含んで構成された前面、及び前記一対の側面の内面に沿った側面を有する外形部を含んで構成されていることを特徴としている。
【００１１】
請求項６記載の照明器具は、請求項１乃至５のいずれか１項に記載の照明器具であって、前記灯体本体部と前記被取付部が、前記被取付部に対する前記灯体本体部の上下方向の角度が変えられるようにねじで固定されていることを特徴としている。
【００１２】
請求項７記載の取付けバンドは、一端部、中間部、及び他端部を有するバンド本体と；前記バンド本体の中間部を成形することにより構成され、被取付部を備えた灯体の前記被取付部を位置決め及び支持する取付部と；前記一端部と他端部を共に固定するバンド固定部材と；を具備することを特徴としている。
【発明の効果】
【００１３】
請求項１記載の照明器具によれば、照明器具を支柱に取付ける際に、取付バンドを支柱に固定してから取付バンドと灯体とを固定することができ、かつ取付バンドの取付部により被取付部を位置決め及び支持することができるので、支柱への照明器具の取付けが容易となる。また、照明器具を支柱に取付ける際に使用する部品数を削減することができる。それ故、安全かつ容易に照明器具を支柱に取付けることができる。
【００１４】
請求項２記載の照明器具によれば、コ字部の側面間に係合部材が掛け渡されているので、バンド本体が支柱に取付けられてもコ字部は変形し難く、外形部の側面がコ字部の側面に沿うように外形部を配置させることができる。
【００１５】
請求項３記載の照明器具によれば、被取付部と取付部を固定部材により同一方向から固定するので、被取付部と取付部を多方向から固定する場合に比べて、被取付部と取付部との固定に要する時間を短縮することができる。
【００１６】
請求項４記載の照明器具によれば、外形部の側面が当接部材に当接しているので、灯体が支柱の周方向に移動し難い。
【００１７】
請求項５記載の照明器具によれば、被取付部の前面は第１の面と第１の面に対して傾いた第２の面とを含んでいるので、上下方向において少なくとも２つの角度で灯体を取付バンドに固定することができる。
【００１８】
請求項６記載の照明器具によれば、被取付部に対する灯体本体部の上下方向の角度を変えることができるので、取付バンドと灯体とを固定した後であっても、容易に被取付部に対する灯体本体部の上下方向の角度を変えることができる。
【００１９】
請求項７記載の取付バンドによれば、取付バンドに灯体を取付ける際に取付バンドの取付部により取付部に対する被取付部の位置決め及び被取付部を支持することができる。
【発明を実施するための最良の形態】
【００２０】
以下、本発明の実施の形態について説明する。図１は本実施の形態に係る照明器具を支柱に取付けたときの照明器具の模式的な斜視図であり、図２は本実施の形態に係る照明器具の模式的な分解斜視図である。図３は本実施の形態に係る灯体の模式的な側面図であり、図４は本実施の形態に係る取付バンドの上面図である。
【００２１】
図１〜図４に示されるように、照明器具１は、主に、灯体１０、支柱Ｐに巻き付け可能な取付バンド２０、灯体１０と取付バンド２０を固定するボルト３０（固定部材）等から構成されている。
【００２２】
灯体１０は、アルミダイカストにより形成された下方が開口した灯体本体部１０ａと、灯体本体部１０ａの後部下側に位置した被取付部１０ｂとを備えている。灯体本体部１０ａと被取付部１０ｂは、被取付部１０ｂに対する灯体本体部１０ａの上下方向の角度が変えられるようにボルト１０ｃで固定されている。
【００２３】
被取付部１０ｂは、外形部１０ｄと、下側から上側に向けて形成された鍵状の切欠部１０ｅとを備えている。外形部１０ｄの前面は、第１の面１０ｆと、第１の面１０ｆより上方に位置し、かつ第１の面１０ｆに対して傾いた第２の面１０ｇとから構成されている。具体的には、第１の面１０ｆが地面に対して略垂直に維持されている場合には第２の面１０ｇは後方に傾いている。第１の面１０ｆ及び第２の面１０ｇにはボルト３０を螺合させるためのねじ孔１０ｈがそれぞれ形成されている。なお、第１の面１０ｆが地面に対して略垂直に維持されている場合には、灯体本体部１０ａは多少上向きになっている。
【００２４】
灯体本体部１０ａの下側には、開口を覆うように透光性のグローブ１１が着脱可能に取付けられている。グローブ１１は、例えばアクリルのような透光性の合成樹脂、及びガラス等で形成することが可能である。グローブ１１の外面及び内面の少なくとも一方には、プリズム、レンズまたは光拡散用の多数の凸部または凹部等が形成されていてもよい。
【００２５】
灯体本体部１０ａとグローブ１１とにより形成される空間には、光源が配置されている。光源としては、低圧放電ランプ、高圧放電ランプ、電球等が使用すること可能である。低圧放電ランプとしては、例えば蛍光ランプ、低圧ナトリウムランプ等が挙げられる。高圧放電ランプとしては、例えば高圧ナトリウムランプ、水銀ランプ、及びメタルハライドランプ等が挙げられる。電球としては、例えば一般照明用電球、ハロゲン電球、及びクリプトン電球等が挙げられる。本実施の形態では、光源として３本のＵ字状の発光管を備えた蛍光ランプ１２を使用した例について説明する。
【００２６】
蛍光ランプ１２は、灯体本体部１０ａの内面に取付けられたランプソケット１３に装着されている。蛍光ランプ１２の上方には、蛍光ランプ１２から発せられた光を反射し、グローブ１１に導く反射板１４が配置されている。反射板１４は、基体にアルミニウム或いは銀を蒸着したものから構成されている。なお、反射板１４の代わりに灯体本体部１０ａの内面にアルミニウム或いは銀を蒸着したもの、或いは白色塗装を施してもよい。灯体本体部１０ａとグローブ１１とにより形成される空間には、蛍光ランプ１２に流れるランプ電流を制御する安定器１５が配置されている。
【００２７】
取付バンド２０は、バンド本体２１、バンド本体２１の一端部と他端部を共に固定する固定機構２２（バンド固定部材）等から構成されている。バンド本体２１は、支柱Ｐに巻付けられる固着部２１ａと、被取付部１０ｂを位置決め及び支持するための取付部２１ｂとを備えている。
【００２８】
固着部２１ａには、所定間隔毎に矩形の孔２１ｃが形成されている。取付部２１ｂは、バンド本体２１の中間部を成形することにより構成されている。取付部２１ｂは、固着部２１ａに連接して形成された一対の側面と前面とから構成された断面コ字状のコ字部２１ｄと、側面間に互いに平行となるように掛け渡された２本のボルト２１ｅ（係合部材），２１ｆと、ボルト２１ｅ，２１ｆに螺合したナット２１ｇ（当接部材）とを備えている。なお、コ字部２１ｄには、根元側の側面の部分が多少広がっているものも含まれる。
【００２９】
コ字部２１ｄの前面には、外形部１０ｄの第１の面１０ｆ及び第２の面１０ｇに対応する位置に孔２１ｈがそれぞれ形成されている。ボルト２１ｅは切欠部１０ｅと係合するようにコ字部２１ｄの側面中央に配置されており、ボルト２１ｆはコ字部２１ｄの側面根元付近に配置されている。ナット２１ｇは外形部１０ｄの側面に当接するように間隔が調節されている。
【００３０】
固定機構２２は、フックボルト２２ａと、フックボルト２２ａと螺合したナット２２ｂと、端部に取付けられたＵ字部材２２ｃとから構成されている。Ｕ字部材２２ｃの両側面には、孔が形成されており、孔にはフックボルト２２ａが挿通されている。なお、孔はフックボルト２２ａを挿通させる大きさに形成されているが、ナット２２ｂを挿通させないような大きさに形成されている。
【００３１】
次に、照明器具１の支柱Ｐへの取付け方法について説明する。図５（ａ）〜図６は本実施の形態に係る照明器具１を支柱Ｐに取付けている状態を模式的に示した図である。まず、支柱Ｐに取付バンド２０を固定する。具体的には、取付バンド２０を支柱Ｐに巻き付け、フックボルト２２ａの先端を適当な固着部２１ａの孔２１ｃに挿入し、固着部２１ａにフックボルト２２ａの先端を引掛けて、取付バンド２０を支柱Ｐに仮固定する。そして、この状態でナット２２ｂを回し、取付バンド２０を締め付けていく。これにより、図５（ａ）に示されるように支柱Ｐに取付バンド２０が固定される。
【００３２】
支柱Ｐに取付バンド２０が固定された後、ボルト２１ｅと切欠部１０ｅが係合し、かつ外形部１０ｄの側面がコ字部２１ｄの側面の内面に沿うように被取付部１０ｂをコ字部２１ｄ内に挿入して、図５（ｂ）に示されるように灯体１０と取付バンド２０を仮固定する。ここで、被取付部１０ｂがコ字部２１ｄ内に挿入された状態では、外形部１０ｄの両側面はナット２１ｇに当接している。最後に、ボルト３０を孔２１ｈに挿入するとともにねじ孔１０ｈと螺合させて、図６に示されるように灯体１０と取付バンド２０とを固定する。
【００３３】
本実施の形態では、取付バンド２０を支柱Ｐに固定し、取付バンド２０の取付部２１ｂにより被取付部１０ｂを位置決め及び支持した後、取付バンド２０と灯体１０とを固定するので、支柱Ｐへの照明器具１の取付けが容易となる。また、照明器具１を支柱Ｐに取付ける際に使用する部品数を削減することができる。それ故、安全かつ容易に照明器具１を支柱Ｐに取付けることができる。
【００３４】
本実施の形態では、コ字部２１ｄの側面間にボルト２１ｅ，２１ｆが掛け渡されているので、バンド本体２１が支柱Ｐに取付けられてもコ字部２１ｄは変形し難く、外形部１０ｄの側面がコ字部２１ｄの側面に沿うように外形部１０ｄを配置させることができる。
【００３５】
本実施の形態では、ナット２１ｇを外形部１０ｄの両側面に当接させているので、灯体１０が支柱Ｐの周方向に移動し難い。即ち、灯体１０と取付バンド２０は固定されているが、風等により灯体１０が支柱Ｐの周方向に移動してしまう可能性がある。ここで、灯体１０が支柱Ｐの周方向に移動してしまうと、配光が変化してしまい、所望の配光が得られない可能性がある。これに対し、本実施の形態ではナット２１ｇを外形部１０ｄの両側面に当接させているので、灯体１０が支柱Ｐの周方向に移動し難い。
【００３６】
本実施の形態では、外形部１０ｄの前面が第１の面１０ｆと、かつ第１の面１０ｆに対して傾いた第２の面１０ｇとから構成されているので、上下方向において２つの角度で灯体１０を取付バンド２０に固定することができる。なお、本実施の形態では、第１の面１０ｆで灯体１０と取付バンド２０を固定した場合には灯体１０は地面に対して略水平より多少上向きとなり、第２の面１０ｇで灯体１０と取付バンド２０を固定した場合には灯体１０は地面に対して略水平となる。
【００３７】
本実施の形態では、灯体本体部１０ａと被取付部１０ｂとを被取付部１０ｂに対する灯体本体部１０ａの上下方向の角度が変えられるようにボルト１０ｃで固定されているので、灯体１０と取付バンド２０とを固定した後であっても、容易に被取付部１０ｂに対する灯体本体部１０ａの上下方向の角度を変えることができる。
【００３８】
本発明は上記実施の形態の記載内容に限定されるものではなく、構造や材質、各部材の配置等は、本発明の要旨を逸脱しない範囲で適宜変更可能である。上記実施の形態では、灯体本体部１０ａと被取付部１０ｂとは別体であるが、灯体本体部１０ａと被取付部１０ｂは一体的に形成されていてもよい。
【００３９】
また、1本のボルト３０で被取付部１０ｂと取付部２１ｂとを固定しているが、複数のボルトを用いて固定してもよい。ここで、この場合、これらのボルトを一方向から挿入して、被取付部１０ｂと取付部２１ｂとを固定する。これにより、被取付部１０ｂと取付部２１ｂを多方向から固定する場合に比べて、被取付部１０ｂと取付部２１ｂとの固定に要する時間を短縮することができる。
【図面の簡単な説明】
【００４０】
【図１】実施の形態に係る照明器具を支柱に取付けたときの照明器具の模式的な斜視図である。
【図２】実施の形態に係る照明器具の模式的な分解斜視図である。
【図３】実施の形態に係る灯体の模式的な側面図である。
【図４】実施の形態に係る取付バンドの上面図である。
【図５】（ａ）及び（ｂ）は実施の形態に係る照明器具を支柱に取付けている状態を模式的に示した図である。
【図６】実施の形態に係る照明器具を支柱に取付けている状態を模式的に示した図である。
【符号の説明】
【００４１】
１…照明器具、１０…灯体、１０ａ…灯体本体部、１０ｂ…被取付部、１０ｃ…ボルト、１０ｄ…外形部、１０ｅ…切欠部、１０ｆ…第１の面、１０ｇ…第２の面、１２…蛍光ランプ、２０…取付バンド、２１…バンド本体、２１ａ…固着部、２１ｂ…取付部、２１ｄ…コ字部、２１ｅ…ボルト、２１ｇ…ナット、３０…ボルト。
【図１】
2005183149.tif 000003
【図２】
2005183149.tif 000004
【図３】
2005183149.tif 000005
【図４】
2005183149.tif 000006
【図５】
2005183149.tif 000007
【図６】
2005183149.tif 000008